【手続補正書】
【提出日】平成28年6月24日(2016.6.24)
【手続補正１】
【補正対象書類名】明細書
【補正対象項目名】００１０
【補正方法】変更
【補正の内容】
【００１０】
概略的に言うと、本発明の実施形態は、一般に螺旋状で、連続的な遷移ゾーンを含み、この遷移ゾーンはプレートの内側部分（供給エリア）に近く、ブレーカーバーエリアに近いエリアから延び、プレートの外縁に近いエリア（出口エリア）に向かって広がっている。全体として１つにアセンブリーされた円環プレートの１つのセクターであるプレートセグメントの外側部分又は外縁端は、第１円弧を形成する。プレートセグメントの内側部分は、より短い長さの第２円弧を形成する。プレートセグメントの第１円弧と第２円弧は平行な円弧である。全体として１つにアセンブリーされたプレートについて、これらの平行な円弧をトレースするラインは、同心の円環を形成する。このコンセプトを使用して、プレートセグメントの第１円弧と第２円弧との間に（プレートセグメント又はセクターを左サイドから右サイドへと横切って）描かれるもう1つの平行な円弧は、少なくとも一度、連続的な遷移ゾーンと交差する。本明細書で使用される「平行な円弧」は、外側端及び内側端によって形成される第１円弧及び第２円弧に平行して描かれる円弧を意味する。平行な円弧のそれぞれのポイントは、プレートセグメントの表面に沿って描かれるとき、プレートの回転の中心から等距離にある。従って、遷移ゾーンの一部は、リファイナープレートセグメントのリファイニングエリアにおける任意の半径位置と交差するように描かれた、任意の平行な円弧において見付けるけることができる。リファイニングエリアは、ブレーカーバーセクションの外縁に最も近い末端からリファイニングゾーンの外縁へと延びるリファイナープレートセグメントのエリアを含む。その効果は、比較的短いリファイニング領域のいくつかのバンドを作り出すことであり、それらはリファイナープレートセグメント又はセクターの外縁に対して一般に角度がつけられている。遷移の角度は、遷移ゾーンに対して接するラインと半径ラインとの交差によって形成される。半径ラインは、プレートの中心点（回転の中心）を通過する、外縁に対して垂直なラインによって形成される。連続的で一般に螺旋状の遷移ゾーンの間のリファイニング領域によって、このように作り出された目視し得るバンドは、一定の幅を有し、又はこの幅はバンドの最外側部分（リファイナープレート上の半径位置に対して）からバンドの最内側部分へと変化することができる。本明細書で使用される「半径位置」とは、プレートセグメント上に描かれる半径ラインに沿った任意のポイントを意味する。
【手続補正２】
【補正対象書類名】明細書
【補正対象項目名】００１２
【補正方法】変更
【補正の内容】
【００１２】
遷移ゾーン上の任意のポイントにおいても、リファイナープレートの回転軸に向かうバーと溝との寸法(dimensions)は、リファイナープレートセグメントの外縁に向かうバーと溝との寸法よりも、より粗く又はより密でない（より広く及び／又はより間隔が離れる）。換言すれば、バーと溝との構成は、回転軸からプレートの外縁への方向に、２つの遷移ゾーンの間のリファイニングエリアバンドから次へと半径方向に移行するにつれて、より細かくなる（バー密度はより大きくなる）。回転軸からプレートの外縁へと、任意の遷移ゾーンバンドを半径方向に横切って移行するときにバーと溝とのパターンがより細かくなることに加えて、このようなパターンが、遷移ゾーンの間に位置しているバーと溝との任意のバンド内で外側方向に移行するとき、より細かくなることも望ましい。それぞれの遷移ゾーンバンドのバーの密度の変化は、段階的により大きくなるか、又は徐々に変化する。遷移ゾーンバンドの相対的な角度及び数に依存して、バーと溝とのパターンが遷移ゾーンを横切って密になり、さらにリファイニング領域のバンド内でもより密になるこのような構成は理想的である。なぜならば、粗いパターンから細かいパターンへの変化は、半径方向にさらにより徐々になるからである。遷移ゾーンは、全表面ダム、それぞれのゾーンからのバーの末端を連結するサブ表面ダム、連結又は一部が連結されたバーの末端、遷移ゾーンの間の区別し得る分断(a distinct break)又はこれらの組合せから形成される。
【手続補正３】
【補正対象書類名】明細書
【補正対象項目名】００１３
【補正方法】変更
【補正の内容】
【００１３】
この新規な幾何学形状の結果として、バーはもはや連続的でなく、各遷移エリアを横切って分断され、例えばダムを越える前と後で直線にならない。リファイナープレートの新規で徐々に変化する幾何学形状は、２以上のリファイニング領域を有する全てのリファイナープレートに適用でき、またこれに限定されるものではないが、直線のバー、湾曲したバー、鋸歯状のバー、対数螺旋状形状等を含む全ての公知のバー及び溝の形状に適用できる。プレートは、これに限定されるものではないが、フィブリレイター、ファイバライザー、一次リファイナー、低コンシステンシーリファイナー、中コンシステンシーリファイナー、高コンシステンシーリファイナー、コニカルリファイナー、シングルディスクリファイナー、ダブルディスクリファイナー、マルチプルディスクリファイナー等を含むメカニカルリファイナーでも使用し得る。
【手続補正４】
【補正対象書類名】明細書
【補正対象項目名】００２８
【補正方法】変更
【補正の内容】
【００２８】
本発明は、回転ディスクリファイナーにおいて設置するための実質的に円環状のディスク（図示せず）に装着されるリファイナープレートを対象とし、このリファイナープレートは、隣接する複数のリファイナープレートセグメント１０を含み、それぞれのセグメント１０は半径方向に延びる中心軸２０、及び隆起したバー３０とバー３０の間に規定される溝４０とが交互になっているパターンを有する。バー３０及び溝４０は、それぞれのバー３０が半径方向内側の末端と半径方向外側の末端とによって規定される長さを有するように実質的に平行に延びている。
【手続補正５】
【補正対象書類名】明細書
【補正対象項目名】００３６
【補正方法】変更
【補正の内容】
【００３６】
この第１実施形態において、バー３０のバンド５０は実質的に一定の長さ「ｌ」（ローマ字のエル）であり、そして互いに平行であり、これらは連続的であり、それ故２つのプレートセグメント１０がサイドバイサイドで置かれたとき、バー３０のバンド５０は、第１及び第２端６０、８０において連結された、実質的に連続的な螺旋状バンド５０のセットを形成する。この特徴は好ましい実施形態で存在するが、他の実施形態では第１及び第２端６０、８０において直接ラインをつくらないバンド５０を含む。これらのパターンでも、内側円弧７０から外縁９０までのバー３０と溝４０との粗いパターンから比較的より細かいパターンへの効果的な徐々の遷移が提供されるが、本明細書に詳説されているように、プレートセグメント１０を用いて取り付けられたリファイナープレートの表面上で供給材料の不均一な半径蓄積が引き起こされる傾向がある明確な遷移ゾーン５５がない。
【手続補正６】
【補正対象書類名】明細書
【補正対象項目名】００４５
【補正方法】変更
【補正の内容】
【００４５】
図８は、リファイナープレートセグメント８１０のもう１つの実施形態を示し、それぞれの螺旋状のバンド８５０のバー８３０の末端が連結されている（いくつかのバー８３０が、遷移ゾーン８５５で終点を有したり、遷移ゾーン８５５と同じ位置になるのではなく、遷移ゾーン８５５を越えて延びている）。バー８３０と溝８４０とのパターン上に描かれる３つの螺旋状ライン８０２、８０３及び８０４は、遷移ゾーン８５５がどこに位置しているか、例えばリファイナープレートセグメント８１０の外縁８９０に向かって遷移ゾーン８５５と交差するとき、バー８３０のパターンがどこでより密になるかを示す。バー８３０と溝８４０とのパターンは、リファイナープレートセグメント８１０の第２側端８３３からリファイナープレートセグメント８１０の第１側端８３４へとバンド８５０内を移行すると、徐々により細かくなり（より密になり）、プレートセグメント８１０の外縁８９０に向かって半径方向に移行して、バンドからバンドへと（例えばバンド８５０ｂから８５０ａへと）行っても徐々により細かくなる（より密になる）。半径方向におけるバー８３０のバンド８５０間の間隔の変化は、リファイナープレートセグメント８１０の表面上の材料の連続的で、より制限されない流れをもたらし、リファイニング領域上の材料のより均一な分布を提供する。この実施形態において、バンド８５０間の遷移ゾーン８５５は、バンド８５０のそれぞれの間の連結８９５によって成り立っている。この実施形態の遷移ゾーン８５５は多くの異なるバリエーションを有し得、例えば、遷移ゾーン８５５の一部がダム及び／又は不連続部を含みつつ、バー８３０のいくつかを連結させることが可能である。